(57)【要約】【課題】受信した撮像画像を、一般的な写真またはＱＲコードとして判別し、判別した結果に応じた処理を行う。【解決手段】携帯電話機４０は、ＱＲコードの撮像時、撮像画像にＱＲコードを示す識別情報を付加し、一般的な写真の撮像時には識別情報を付加しない。テレビジョン装置１０は、携帯電話機４０から受信した撮像画像の識別情報の有無で、撮像画像に対する処理を判別する。識別情報が無ければ、テレビジョン装置１０は受信した撮像画像を表示パネル１１に表示する。識別情報が有れば、テレビジョン装置１０は受信した撮像画像からＱＲコードを復元し、ＱＲコードに含まれる文字情報を抽出して、その文字情報にＵＲＬが含まれるか否かを検出する。ＵＲＬを検出すれば、テレビジョン装置１０は、ＵＲＬに基づくアクセスを行ってアクセス先のサイトページを表示し、ＵＲＬを検出できなければ、文字情報を表示する。【選択図】図１
2009111869.tif 000002
【特許請求の範囲】
【請求項１】
送信手段を有する撮像装置が受信手段を有する表示装置へ撮像画像を送信し、前記表示装置は受信した撮像画像に応じた処理を行う撮像画像処理方法において、
前記撮像装置は、
文字情報を含むことを表す識別情報を付加した撮像画像を前記表示装置へ送信し、
前記表示装置は、
前記撮像装置から送信される撮像画像を受信した場合、受信した撮像画像に識別情報が付加されているか否かを検出し、
識別情報が付加されていることを検出した場合、受信した撮像画像から文字情報を抽出することを特徴とする撮像画像処理方法。
【請求項２】
外部装置から送信されてくる撮像画像を表示装置が受信して、受信した撮像画像に応じた処理を行う撮像画像処理方法において、
前記表示装置は、
外部装置から送信されてくる撮像画像を、文字情報を含む情報画像として受信するか、または一般画像として受信するかの指示を受け付け、
情報画像として受信する旨の指示を受け付けた場合、受信した撮像画像から文字情報を抽出することを特徴とする撮像画像処理方法。
【請求項３】
外部装置から送信されてくる撮像画像を表示装置が受信して、受信した撮像画像に応じた処理を行う撮像画像処理方法において、
前記表示装置は、
撮像画像を受信した場合、受信した撮像画像が文字情報を含む情報画像であるか否かを検出し、
情報画像であることを検出した場合、受信した撮像画像から文字情報を抽出し、
情報画像でないことを検出した場合、受信した撮像画像の表示処理を行うことを特徴とする撮像画像処理方法。
【請求項４】
撮像装置から送信される撮像画像を表示装置で受信して、受信した撮像画像に応じた処理を前記表示装置で行う撮像画像処理システムにおいて、
前記撮像装置は、
文字情報を含むことを表す識別情報を付加した撮像画像を前記表示装置へ送信する手段を備え、
前記表示装置は、
前記撮像装置から送信される撮像画像を受信した場合、受信した撮像画像に識別情報が付加されているか否かを検出する情報検出手段と、
識別情報が付加されていることを前記情報検出手段が検出した場合、受信した撮像画像から文字情報を抽出する抽出手段と
を備えることを特徴とする撮像画像処理システム。
【請求項５】
前記表示装置は、
ネットワークとの接続を行うネットワーク接続手段と、
前記抽出手段が抽出した文字情報の中に、ネットワーク上の場所を指定する場所情報が含まれるか否かを検出する場所情報検出手段と、
場所情報が含まれることを前記場所情報検出手段が検出した場合、前記場所情報検出手段が検出した場所情報で指定される場所へ前記ネットワーク接続手段を通じてアクセスを行うアクセス手段と
を備える請求項４に記載の撮像画像処理システム。
【請求項６】
前記表示装置は、
ネットワークとの接続を行うネットワーク接続手段と、
前記抽出手段が抽出した文字情報の中に、ネットワーク上の場所を指定する場所情報が含まれるか否かを検出する場所情報検出手段と、
場所情報が含まれることを前記場所情報検出手段が検出した場合、前記抽出手段が抽出した文字情報に、前記場所情報検出手段が検出した場所情報を選択可能に含めた内容の表示処理を行う手段と
を備える請求項４に記載の撮像画像処理システム。
【請求項７】
場所情報が含まれないことを前記場所情報検出手段が検出した場合、前記抽出手段が抽出した文字情報を表示する処理を行う手段を備える請求項５または請求項６に記載の撮像画像処理システム。
【請求項８】
外部の撮像装置から送信されてくる撮像画像を受信する手段を備え、受信した撮像画像に応じた処理を行う表示装置において、
外部の撮像装置からの撮像画像を、文字情報を含む情報画像として受信するか、または一般画像として受信するかの指示を受け付ける指示受付手段と、
前記指示受付手段が情報画像として受信する旨の指示を受け付けた場合、受信した撮像画像から文字情報を抽出する抽出手段と
を備えることを特徴とする表示装置。
【請求項９】
外部の撮像装置から送信されてくる撮像画像を受信する手段を備え、受信した撮像画像に応じた処理を行う表示装置において、
撮像画像を受信した場合、受信した撮像画像が文字情報を含む情報画像であるか否かを検出する検出手段と、
情報画像であることを前記検出手段が検出した場合、受信した撮像画像から文字情報を抽出する抽出手段と、
情報画像でないことを前記検出手段が検出した場合、受信した撮像画像の表示処理を行う手段と
を備えることを特徴とする表示装置。
【請求項１０】
ネットワークとの接続を行うネットワーク接続手段と、
前記抽出手段が抽出した文字情報の中に、ネットワーク上の場所を指定する場所情報が含まれるか否かを検出する場所情報検出手段と、
場所情報が含まれることを前記場所情報検出手段が検出した場合、前記場所情報検出手段が検出した場所情報で指定される場所へ前記ネットワーク接続手段を通じてアクセスを行うアクセス手段と
を備える請求項８または請求項９に記載の表示装置。
【請求項１１】
ネットワークとの接続を行うネットワーク接続手段と、
前記抽出手段が抽出した文字情報の中に、ネットワーク上の場所を指定する場所情報が含まれるか否かを検出する場所情報検出手段と、
場所情報が含まれることを前記場所情報検出手段が検出した場合、前記抽出手段が抽出した文字情報に、前記場所情報検出手段が検出した場所情報を選択可能に含めた内容の表示処理を行う手段と
を備える請求項８または請求項９に記載の表示装置。
【請求項１２】
場所情報が含まれないことを前記場所情報検出手段が検出した場合、前記抽出手段が抽出した文字情報を表示する処理を行う手段を備える請求項１０または請求項１１に記載の表示装置。
【発明の詳細な説明】
【技術分野】
【０００１】
本発明は、撮像装置が撮像画像を表示装置へ送信すると、表示装置は受信した撮像画像の内容に応じた処理を行えるようにした撮像画像処理方法、撮像画像処理システム、および表示装置に関する。
【背景技術】
【０００２】
従来、デジタルカメラで撮像した画像（写真）を大画面で見るようにするには、デジタルカメラと大画面の表示装置（たとえば、大画面の液晶テレビジョン装置）を所定のケーブルで接続し、ケーブルを通じてデジタルカメラから表示装置へ撮像画像を送ることにより、撮像した写真を表示装置の大画面に表示できる。
【０００３】
さらに、昨今では、撮像機能付き携帯電話機が広く使用されており、撮像機能付き携帯電話機でも、上記と同様に、撮像画像を表示装置へ送ることにより、携帯電話機で撮像した撮像画像を表示装置の大画面で楽しむことができる。このような撮像機能付きの携帯電話機の中には、赤外線通信（ＩｒＳｉｍｐｌｅ、ＩｒＳＳ等）、またはブルートゥース（登録商標）などの無線通信で撮像画像を送信できる機種があり、表示装置の方も、このような無線通信に対応した通信部を具備していれば、無線通信で撮像画像を携帯電話機から表示装置へ送ることができる。
【０００４】
また、撮像機能付き携帯電話機の中には、インストールされた画像処理ソフトウェアにより、撮像画像に対して様々な画像処理を行えるものがある。たとえば、画像処理ソフトウェアとしてＯＣＲ（Optical Character Reader）ソフトウェアをインストールしている機種では、名刺を撮像することで名刺に記載された文字をテキストデータとして取得できる。また、バーコードリーダソフトウェアをインストールしている機種では、各種バーコード（一次元バーコード、ＱＲコード（登録商標）などの二次元バーコード等）を撮像すれば、撮像画像に対する画像処理により、撮像対象のバーコードに含まれる情報（各種文字情報等）を抽出し、抽出した情報を利用して様々な処理を行えるようにしているものがある。
【０００５】
一方、液晶テレビジョン装置のような各種テレビジョン装置の中には、インターネットのようなネットワークとの接続機能を具備し、ネットワーク上に構築されているウェブサイトへアクセスして、サイトページを表示できる機種も存在する。
【０００６】
なお、下記の特許文献１では、コンピュータに接続されたバーコードリーダで、ＵＲＬ（Uniform Resource Locator）が含まれるバーコード（一次元バーコードまたは二次元バーコード等の文字情報を含む情報図形）を読み取り、バーコードに含まれるＵＲＬを抽出してコンピュータへ送り、コンピュータは送られてきたＵＲＬに基づきウェブサイトへのアクセスを行う内容が開示されている。また、下記の特許文献２では、バーコードリーダ機能を有するリモコンで、ＵＲＬに関する情報を含むバーコードを読み取って、読み取った内容をテレビジョン受像機のセットトップボックスへ無線で送信し、セットトップボックスでは、送信されてきた情報よりＵＲＬを求めて、そのＵＲＬに応じたウェブサイトへアクセスする内容が開示されている。
【０００７】
さらに、下記の特許文献３および特許文献４では、テレビジョン装置に表示されたＵＲＬを含むバーコードを、撮像機能付き携帯電話機で撮像し、携帯電話機は撮像したバーコードからＵＲＬを抽出し、その抽出したＵＲＬに基づいてウェブサイトへのアクセスを行うことが開示されている。
【特許文献１】特開平９−２０４３８９号公報
【特許文献２】特開２０００−２０７３２５号公報
【特許文献３】特開２００５−３３３２７１号公報
【特許文献４】特開２００４−１９２１４９号公報
【発明の開示】
【発明が解決しようとする課題】
【０００８】
ソフトウェア的な処理により撮像画像からバーコードを読み取り可能にしている撮像装置では、２種類の撮像パターンが行われる。一つめのパターンは、写真（一般的な画像に相当）を取得するために撮像を行う場合であり、二つめのパターンは、各種情報を含むバーコードを取得するために撮像を行う場合である。これらのパターンは両方とも撮像を行うと云う点では同じであるが、撮影された画像の扱い方が異なる。すなわち、一つめのパターンは単に写真として表示するに留まるが、二つめのパターンは、撮像画像を解析してバーコードに含まれる情報（例えば、文字情報）を抽出する処理を行う必要がある。
【０００９】
そのため、上述したような撮像装置から撮像された画像を受信する表示装置は、それぞれの撮像パターンに応じた撮像画像を判別して、その画像パターンに応じた処理を適切に行う必要がある。しかし、従来の表示装置では、受信した撮像画像を一般的な画像（写真）として扱うか、またはバーコードとして扱うかを判別し、判別結果に基づき受信した撮像画像を適切に処理することができないと云う問題がある。
【００１０】
なお、上述した特許文献１および特許文献２では、コンピュータへバーコードリーダから送られるものは常にバーコードであるので、バーコードリーダからコンピュータが取得するものの中に、一般的な撮像画像（写真）が含まれる余地がなく、コンピュータは取得したものが写真であるのか、バーコードであるのかを判別していない。また、特許文献３および特許文献４では、撮像装置が撮像する対象をバーコードに絞っているので、これらの場合も撮像した画像が写真であるか、またはバーコードであるのかを判別していない。
【００１１】
本発明は、斯かる問題に鑑みてなされたものであり、撮像装置により撮像された画像が一般的な写真またはバーコードのいずれかであっても、表示装置側で撮像画像の内容にマッチした処理を適正に行えるようにした撮像画像処理方法、撮像画像処理システム、および表示装置を提供することを目的とする。
【課題を解決するための手段】
【００１２】
上記課題を解決するために本発明に係る撮像画像処理方法は、送信手段を有する撮像装置が受信手段を有する表示装置へ撮像画像を送信し、前記表示装置は受信した撮像画像に応じた処理を行う撮像画像処理方法において、前記撮像装置は、文字情報を含むことを表す識別情報を付加した撮像画像を前記表示装置へ送信し、前記表示装置は、前記撮像装置から送信される撮像画像を受信した場合、受信した撮像画像に識別情報が付加されているか否かを検出し、識別情報が付加されていることを検出した場合、受信した撮像画像から文字情報を抽出することを特徴とする。
【００１３】
また、本発明に係る撮像画像処理方法は、外部装置から送信されてくる撮像画像を表示装置が受信して、受信した撮像画像に応じた処理を行う撮像画像処理方法において、前記表示装置は、外部装置から送信されてくる撮像画像を、文字情報を含む情報画像として受信するか、または一般画像として受信するかの指示を受け付け、情報画像として受信する旨の指示を受け付けた場合、受信した撮像画像から文字情報を抽出することを特徴とする。
【００１４】
さらに、本発明に係る撮像画像処理方法は、外部装置から送信されてくる撮像画像を表示装置が受信して、受信した撮像画像に応じた処理を行う撮像画像処理方法において、前記表示装置は、撮像画像を受信した場合、受信した撮像画像が文字情報を含む情報画像であるか否かを検出し、情報画像であることを検出した場合、受信した撮像画像から文字情報を抽出し、情報画像でないことを検出した場合、受信した撮像画像の表示処理を行うことを特徴とする。
【００１５】
本発明に係る撮像画像処理システムは、撮像装置から送信される撮像画像を表示装置で受信して、受信した撮像画像に応じた処理を前記表示装置で行う撮像画像処理システムにおいて、前記撮像装置は、文字情報を含むことを表す識別情報を付加した撮像画像を前記表示装置へ送信する手段を備え、前記表示装置は、前記撮像装置から送信される撮像画像を受信した場合、受信した撮像画像に識別情報が付加されているか否かを検出する情報検出手段と、識別情報が付加されていることを前記情報検出手段が検出した場合、受信した撮像画像から文字情報を抽出する抽出手段とを備えることを特徴とする。
【００１６】
また、本発明に係る撮像画像処理システムは、前記表示装置が、ネットワークとの接続を行うネットワーク接続手段と、前記抽出手段が抽出した文字情報の中に、ネットワーク上の場所を指定する場所情報が含まれるか否かを検出する場所情報検出手段と、場所情報が含まれることを前記場所情報検出手段が検出した場合、前記場所情報検出手段が検出した場所情報で指定される場所へ前記ネットワーク接続手段を通じてアクセスを行うアクセス手段とを備えることを特徴とする。
【００１７】
さらに、本発明に係る撮像画像処理システムは、前記表示装置が、ネットワークとの接続を行うネットワーク接続手段と、前記抽出手段が抽出した文字情報の中に、ネットワーク上の場所を指定する場所情報が含まれるか否かを検出する場所情報検出手段と、場所情報が含まれることを前記場所情報検出手段が検出した場合、前記抽出手段が抽出した文字情報に、前記場所情報検出手段が検出した場所情報を選択可能に含めた内容の表示処理を行う手段とを備えることを特徴とする。
【００１８】
さらにまた、本発明に係る撮像画像処理システムは、場所情報が含まれないことを前記場所情報検出手段が検出した場合、前記抽出手段が抽出した文字情報を表示する処理を行う手段とを備えることを特徴とする。
【００１９】
本発明に係る表示装置は、外部の撮像装置から送信されてくる撮像画像を受信する手段を備え、受信した撮像画像に応じた処理を行う表示装置において、外部の撮像装置からの撮像画像を、文字情報を含む情報画像として受信するか、または一般画像として受信するかの指示を受け付ける指示受付手段と、前記指示受付手段が情報画像として受信する旨の指示を受け付けた場合、受信した撮像画像から文字情報を抽出する抽出手段とを備えることを特徴とする。
【００２０】
また、本発明に係る表示装置は、外部の撮像装置から送信されてくる撮像画像を受信する手段を備え、受信した撮像画像に応じた処理を行う表示装置において、撮像画像を受信した場合、受信した撮像画像が文字情報を含む情報画像であるか否かを検出する検出手段と、情報画像であることを前記検出手段が検出した場合、受信した撮像画像から文字情報を抽出する抽出手段と、情報画像でないことを前記検出手段が検出した場合、受信した撮像画像の表示処理を行う手段とを備えることを特徴とする。
【００２１】
さらに、本発明に係る表示装置は、ネットワークとの接続を行うネットワーク接続手段と、前記抽出手段が抽出した文字情報の中に、ネットワーク上の場所を指定する場所情報が含まれるか否かを検出する場所情報検出手段と、場所情報が含まれることを前記場所情報検出手段が検出した場合、前記場所情報検出手段が検出した場所情報で指定される場所へ前記ネットワーク接続手段を通じてアクセスを行うアクセス手段とを備えることを特徴とする。
【００２２】
さらにまた、本発明に係る表示装置は、ネットワークとの接続を行うネットワーク接続手段と、前記抽出手段が抽出した文字情報の中に、ネットワーク上の場所を指定する場所情報が含まれるか否かを検出する場所情報検出手段と、場所情報が含まれることを前記場所情報検出手段が検出した場合、前記抽出手段が抽出した文字情報に、前記場所情報検出手段が検出した場所情報を選択可能に含めた内容の表示処理を行う手段とを備えることを特徴とする。
【００２３】
また、本発明に係る表示装置は、場所情報が含まれないことを前記場所情報検出手段が検出した場合、前記抽出手段が抽出した文字情報を表示する処理を行う手段を備えることを特徴とする。
【００２４】
本発明にあっては、撮像により得た文字情報が含まれる情報画像を送信する場合、撮像装置は撮像画像に識別情報を付加して表示装置へ送信するので、受信側の表示装置は、識別情報の有無を検出することにより、受信した撮像画像を情報画像として処理するか、または画像のみの情報を含む一般的な画像（写真）として処理するかを判別できるようになる。また、識別情報が付加されていることを検出すれば、表示装置は撮像情報（情報画像）に含まれる文字情報を抽出するので、その後の情報画像に関する各種処理をスピーディーに進められる。なお、文字情報を含む撮像画像（情報画像）とは、太さの異なる線を平行的に配置した一次元バーコード、二次元バーコード（ＱＲコード、DataMatrix等）、色付きのバーコード（赤・緑・青・黒が付されたカラーコード等）のような情報図形が該当する（以下、同様）。また、撮像装置から表示装置への撮像画像の送信は、ＩｒＳｉｍｐｌｅ、ＩｒＳＳ、ブルートゥースのような無線通信または接続ケーブルによる有線通信のいずれで行うことも可能である（以下、同様）。
【００２５】
本発明にあっては、撮像画像の受信側となる表示装置が、撮像画像を、文字情報を含む情報画像として受信するか、または画像のみの一般な写真として受信するかについてユーザから指示を受け付けるので、表示装置はユーザの指示に従って受信した撮像画像を、どのように扱うかを判断できるようになる。従来であれば、撮像装置が撮像を行う際に、通常の画像として撮像するか、または文字情報を含む情報画像として撮像するかをユーザは選択する必要があったが、本発明では、そのような選択を受信側の表示装置で行うので、撮像時のユーザの操作負担が低減されるようになる。また、情報画像として受信する旨の指示をユーザから受け付けた場合、表示装置は撮像画像（情報画像）から文字情報を抽出するので、その後の情報画像に関する各種処理をスムーズに行える。
【００２６】
本発明にあっては、撮像画像の受信側となる表示装置が、受信した撮像画像が文字情報を含む情報画像であるか否かを検出するので、ユーザは撮像画像の処理の仕方を指示する操作が不要となり、ユーザの操作負担が一段と軽減される。また、情報画像であることを検出した場合、表示装置は受信した撮像画像から文字情報を抽出するので、その後の情報画像に関する処理をスムーズに行える一方、情報画像でないことを検出した場合、受信した撮像画像の表示処理を行うので、受信した撮像画像を写真として扱って自動で撮像画像が表示されるようになり、ユーザは簡単に撮像画像を楽しめるようになる。
【００２７】
本発明にあっては、表示装置がネットワーク接続手段を備えると共に、抽出した文字の中にネットワーク上の場所を指定する場所情報（ＵＲＬ等が相当）が含まれることを検出すれば、検出した場所情報で指定されるネットワーク上の場所（ウェブサイト等が相当）へアクセスを行うので、撮像画像の受信に連動して容易に所定のウェブサイト等へアクセスできるようになる。
【００２８】
本発明にあっては、表示装置がネットワーク接続手段を備えると共に、抽出した文字情報の中にネットワーク上の場所を指定する場所情報（ＵＲＬ等が相当）が含まれることを検出すれば、場所情報を選択可能に含めて文字情報を表示するので、場所情報を含む文字情報をユーザは確認できるようになると共に、表示された場所情報を選択すれば、場所情報に基づくアクセス処理も容易に行えるようになる。
【００２９】
また、本発明にあっては、抽出した文字情報の中に場所情報が含まれない場合、抽出した文字情報の表示処理を行うので、受信した撮像画像（情報画像）に含まれる文字情報をユーザはスピーディーに確認できるようになる。
【発明の効果】
【００３０】
本発明にあっては、撮像画像を文字情報を含む情報画像として送信する場合、撮像装置は撮像画像に識別情報を付加して表示装置へ送信するので、表示装置は、識別情報の有無を検出することにより、受信した撮像画像を情報画像として処理するかを判断でき、さらに、識別情報を検出すれば、表示装置は文字情報を抽出するので、その後の情報画像に関する各種処理を効率良く進めることができる。
【００３１】
また、本発明にあっては、文字情報を含む情報画像として受信するか、または画像のみの一般画像として撮像画像を受信するかについて表示装置はユーザから指示を受け付けるので、表示装置はユーザの指示に従って受信した撮像画像を、どのように処理するかを判断でき、また、文字情報を含む情報画像として受信する指示を受け付ければ、表示装置は文字情報を抽出するので、その後の情報画像に関する各種処理を効率的に行える。
【００３２】
さらに、本発明にあっては、表示装置が受信した撮像画像が情報画像であるか否かを検出するので、撮像画像の処理の仕方を指示する操作を不要にでき、また、情報画像であることを検出すれば、表示装置は受信した撮像画像から文字情報を抽出するので、その後の情報画像に関する処理をスムーズに行うことができ、さらに、情報画像でないことを検出すれば、受信した撮像画像の表示処理を行うので、ユーザは簡単に撮像画像を楽しめる。
【００３３】
本発明にあっては、抽出した文字の中にネットワーク上の場所を指定するＵＲＬ等が含まれることを表示装置が検出すれば、検出したＵＲＬ等に基づきアクセスを行うので、撮像画像の受信に連動して所定のウェブサイトへ自動でアクセスでき、ＵＲＬ等の入力操作を不要にできる。
また、本発明にあっては、抽出した文字情報の中にネットワーク上の場所を指定するＵＲＬ等が含まれることを検出すれば、ＵＲＬ等を選択可能に含めて文字情報を表示するので、場所情報を含む文字情報をユーザは自動的で確認できると共に、表示された文字情報の中のＵＲＬ等を選択すれば、所定のウェブサイトへのアクセスも容易に行える。
さらに、本発明にあっては、抽出した文字情報の中にＵＲＬ等の場所情報が含まれない場合、表示装置は抽出した文字情報の表示処理を行うので、ユーザは受信した撮像画像に含まれる文字情報をスムーズに確認できる。
【発明を実施するための最良の形態】
【００３４】
図１は、本発明の実施形態に係る撮像画像処理システム１の全体的な構成を示している。本実施形態の撮像画像処理システム１は、撮像機能付きの携帯電話機４０（撮像装置に相当）で撮像した撮像画像を、大画面の表示パネル１１を有するテレビジョン装置１０（表示装置に相当）へ赤外線通信で送信し、テレビジョン装置１０は、受信した撮像画像の内容が、一般的な写真の画像であれば表示パネル１１に表示すると共に、撮像画像の内容がＱＲコード（情報画像に相当）であれば、ＱＲコードが含む文字情報に応じた処理を行うことを特徴としている。
【００３５】
図２（ａ）（ｂ）は携帯電話機４０の外観を示している。携帯電話機４０は薄板状の筐体４１の表面４１ａの上部に表示パネル４２（液晶パネル）を配置すると共に、表面４１ａの下部に上下左右キー、決定キー、数字キー等の複数の操作キーを有する操作部４３を設けている。また、携帯電話機４０は、筐体４１の裏面４１ｂに撮像機能に応じた撮像素子ユニット４５を配置している。この撮像素子ユニット４５は、撮像レンズ、ＣＣＤまたはＣＭＯＳのような撮像素子、撮像倍率調整機構等を含んだものになっている。さらに、携帯電話機４０は、筐体４１の先端面４１ｃに通信アンテナ４４を突設すると共に、赤外線通信ユニット４６を配置している。この赤外線通信ユニット４６は、ＩｒＳＳに応じた赤外線通信規格に基づいて各種データ（撮像画像のデータ等）を送信できる機能を具備する。
【００３６】
図３は、携帯電話機４０の主要な内部構成を示したブロック図である。携帯電話機４０は、全体的な各種制御を行うＣＰＵ４０ａに、通信部４０ｂ、ＲＡＭ４０ｃ、ＲＯＭ４０ｄ、表示用インタフェース４０ｅ、操作部インタフェース４０ｆ、撮像処理部４０ｇ、赤外線通信ユニット４６、および記憶部４０ｈを内部バス４０ｉで接続した構成になっている。
【００３７】
通信部４０ｂは、通信アンテナ４４と接続されており、通信アンテナ４４を通じて無線通話に係る通信、および電子メールの送受信等に係る通信の処理を行うものである。ＲＡＭ４０ｃは、ＣＰＵ４０ａの制御処理に伴う各種データ、ファイル等を一時的に記憶し、ＲＯＭ４０ｄは、ＣＰＵ４０ａが行う基本的な処理内容等を規定した基本プログラム等を記憶する。
【００３８】
表示用インタフェース４０ｅは、表示パネル４２と接続されており、表示パネル４２に各種内容を表示するための処理を行うものである。操作部インタフェース４０ｆは、操作部４３と接続されており、操作部４３に含まれる各種操作キーで受け付けたユーザからの操作内容を、内部バス４０ｉを通じてＣＰＵ４０ａへ伝える処理を行う。
【００３９】
撮像処理部４０ｇは、撮像素子ユニット４５と接続されており、撮像素子ユニット４５で撮像された撮像画像を受け取って、保存先の記憶部４０ｈへ内部バス４０ｉを通じて送る処理を行う。また、赤外線通信ユニット４６は、送信対象となるデータをＩｒＳＳの規定に応じたフォーマットで赤外線に重畳して送信する処理を行う。
【００４０】
さらに、記憶部４０ｈは、不揮発性の半導体メモリであり、端末プログラム４７、アプリケーションプログラム４８、およびメニュー画面テーブル４９等を予め記憶していると共に、撮像素子ユニット４５で撮像された撮像画像、またはその他のデータ等も記憶できる記憶エリアを確保している。記憶部４０ｈに記憶されている端末プログラム４７は、携帯電話機４０の無線通話、無線通信、表示処理等に対してＣＰＵ４０ａが行う制御処理内容を規定したものである。また、アプリケーションプログラム４８は、撮像素子ユニット４５を用いた撮像処理に対してＣＰＵ４０ａが行う制御処理内容、赤外線通信ユニット４６の赤外線通信処理に対してＣＰＵ４０ａが行う制御処理内容等を規定したものである。
【００４１】
アプリケーションプログラム４８は、特に本実施形態において、撮像素子ユニット４５を用いて撮像を行う場合、図４（ａ）に示すモード選択画面５０を表示パネル４２に表示するようにＣＰＵ４０ａが制御を行うことを規定している。
【００４２】
図４（ａ）のモード選択画面５０は、記憶部４０ｈに記憶されているメニュー画面テーブル４９に含まれる画面データに基づく画面内容に応じたものであり、被写体を「写真（一般画像に相当）」として撮像するモード（写真モード）に応じた第１ボタン５０ａ、被写体を「ＱＲコード（情報画像に相当）」として撮像するモード（ＱＲモード）に応じた第２ボタン５０ｂ、ＹＥＳボタン５０ｃ、戻るボタン５０ｄを選択可能に具備している。なお、写真モードとは、撮像画像を一般的な画像ファイル（ＪＰＥＧ、ＢＭＰまたはＴＩＦＦ形式等のデータファイル）として撮像するモードであり、一方、ＱＲモードとは、撮像画像を、文字情報を含む情報画像に相当するＱＲコードとして撮像するモードである。
【００４３】
図５は、一例となるＱＲコード３０を示し、ＱＲコード自体は一般に、印刷物またはウェブサイトのサイト画面等に記されていることが多い。ＱＲコード３０は、白と黒の格子状の配列で情報を表すマトリックス型二次元コードであり、正方形状の３つの角部のそれぞれに、正方形の黒枠内に黒色正方形を配置した第１切出シンボル３１、第２切出シンボル３２、第３切出シンボル３３を有し、これらの各切出シンボル３１〜３３で囲まれた内側の領域に複数のデータセルから構成されるデータ領域３４を設けている。このデータ領域３４には、データセルの配列に対応して種々の情報（例えば、文字情報）が埋め込まれているので、ＱＲコードの規定に従ってデータセルの配列を検出することで、埋め込まれている情報を抽出することが可能となる。
【００４４】
図４（ａ）に示すモード選択画面５０を表示パネル４２に表示した状態で、操作部４３の上下キーおよび決定キーが操作されることで第１ボタン５０ａが選択された状態で、ＹＥＳボタン５０ｃが選択されると、ＣＰＵ４０ａは被写体を一般的な写真として撮像素子ユニット４５で撮像するように制御処理を行う。また、第２ボタン５０ｂが選択された状態で、ＹＥＳボタン５０ｃが選択されると、ＣＰＵ４０ａは被写体をＱＲコードとして撮像するように制御処理を行う。
【００４５】
さらに、アプリケーションプログラム４８は、ＱＲコードとして撮像した場合、撮像画像がＱＲコードとして扱うことを受信側の装置で判別できるようにするため、赤外線通信ユニット４６の送信フォーマットの拡張エリアを利用して、撮像したＱＲコードの画像に識別情報を付加する制御をＣＰＵ４０ａが行うことを規定している。
【００４６】
図４（ｂ）は、ＩｒＳＳで規定される送信フォーマット（送信単位のデータフォーマット）のデータ構造６０を示している。このデータ構造６０は、コンテンツ格納エリア６０ａと、拡張エリア６０ｂに大別されており、コンテンツ格納エリア６０ａには撮像画像の画像データが格納される一方、拡張エリア６０ｂには、コンテンツ格納エリア６０ａにＱＲコードの撮像画像（情報画像）が格納される場合にのみ、識別情報として「１」が格納（付加）される。また、一般的な撮像画像（写真のデータ等）がコンテンツ格納エリア６０ａに格納される場合は、拡張エリア６０ｂに「０（デフォルト）」が格納されることをアプリケーションプログラム４８は規定している。
【００４７】
そのため、ＣＰＵ４０ａは、図４（ａ）のモード選択画面５０で選択されたモードで撮像が行われると、その選択されたモードに応じて拡張エリア６０ｂに「１」を付加するか、デフォルトの「０」のままにするかを判別して、判別した内容の送信フォーマットで撮像画像を送信する制御を行う。
【００４８】
一方、図６は、携帯電話機４０から送信される撮像画像を受信する側のテレビジョン装置１０の主要な内部構造を示している。テレビジョン装置１０は、図１に示すように外観的には、大画面の表示パネル１１を装置筐体の前面に配置すると共に、前面の下方にはスピーカ１６を設けている。さらに、テレビジョン装置１０は、表示パネル１１とスピーカ１６との間に一方の端に、ＩｒＳＳに応じた赤外線通信を行う赤外線通信部１２を設けると共に、他方の端にリモコン装置用のリモコン受光部１８を設けている。本実施形態のテレビジョン装置１０は、携帯電話機４０から送信される撮像画像がＱＲコードであれば、ＱＲコードの応じた処理を行い、送信される撮像画像が一般的な写真等の画像であれば、受信した撮像画像を自動的に表示する処理を行うことが特徴になっている。なお、テレビジョン装置１０は、インターネットのような広域のネットワークＮＷにも接続可能になっている。
【００４９】
テレビジョン装置１０は、テレビジョン放送の受信、復調、映像出力、および音声出力に関する回路部分としてテレビジョン回路部１０ａを有すると共に、携帯電話機４０から赤外線通信より送信される内容の赤外線通信の処理系統として、赤外線通信部１２、画像処理部１３、デコード部１４を有し、これらの各部をテレビジョン装置１０の全体的な各種制御処理を行う制御部１７と接続している。また、テレビジョン装置１０は、ネットワークＮＷとの接続手段としてネットワークインタフェース部１５を有している。さらに、テレビジョン装置１０は、ユーザからの操作指示を受け付けるために、リモコン装置２０から発せられる操作信号を含む赤外線を受光するリモコン受光部１８、およびテレビジョン装置１０の装置本体に設けられた操作部１９を設けている。
【００５０】
テレビジョン回路部１０ａは、チューナ部１０ｂ、復調部１０ｃ、映像処理部１０ｄ、表示インタフェース部１０ｅ、および音声処理部１０ｆを内蔵している。チューナ部１０ｂは、受信アンテナＡと接続されており、制御部１７により指定される周波数のテレビジョン放送の放送信号を受信して復調部１０ｃへ出力する処理を行う。復調部１０ｃは、チューナ部１０ｂから出力される放送信号に対して復調処理等を行って、映像信号および音声信号を生成し、映像信号を映像処理部１０ｄへ出力すると共に、音声信号を音声処理部１０ｆへ出力する。
【００５１】
映像処理部１０ｄは、復調部１０ｃから出力された映像信号に含まれる輝度信号および色差信号等に基づきマトリクス変換処理を行い、画像信号としてのＲＧＢ信号を生成し、このＲＧＢ信号に対し表示パネル１１（液晶パネル）の画素数に合わせたスケーリング処理を行い、１フレーム画面分の画像を生成して表示インタフェース部１０ｅへ出力する。表示インタフェース部１０ｅは、映像処理部１０ｄおよび制御部１７から出力されてくる画像（画像信号）に応じた内容を表示パネル１１で表示するための処理を行い、表示すべき画面内容を表示パネル１１へ出力して、表示パネル１１に所要の画像を表示させる。
【００５２】
音声処理部１０ｆは、復調部１０ｃから出力された音声信号に対して所定の処理（増幅処理など）を行ってからスピーカ１６へ出力し、このような音声処理部１０ｆの処理によりスピーカ１６より所定の音声が出力される。
【００５３】
一方、ＩｒＳＳの赤外線通信の処理系統に含まれる赤外線通信部１２は、ＩｒＳＳ方式に応じた赤外線通信を行うユニットであり、赤外線信号を受信するフォトダイオード等を含んでいる。ＩｒＳＳは赤外線を利用して通信を行うための規格の１つであり、赤外線通信の業界標準化団体ＩｒＤＡ(Infrared Data Association)で策定された通信規格である。赤外線通信部１２は、外部の装置（たとえば、携帯電話機４０）から発せられた画像等のデータを重畳した赤外線信号を受光すると、受光したデータ（図４（ｂ）に示すデータ構造のもの）を画像処理部１３へ出力する。
【００５４】
画像処理部１３（情報検出手段に相当）は、赤外線通信部１２から出力されてくるデータをファイル形式等より画像（撮像画像：写真）と判断すれば、一般的な画像（写真）として処理するか、または撮像されたＱＲコードとして処理するかを、図４（ｂ）に示すデータ構造６０の拡張エリア６０ｂに「１（識別情報）」が付加されているか否かを検出（拡張エリア６０ｂが「０」、または「１」であるかを検出）することにより判別する。
【００５５】
画像処理部１３は、拡張エリア６０ｂが「０」であることを検出すると、赤外線通信部１２から出力されてきた画像（写真）を自動的に表示するため、所定の画像処理を行って画像を制御部１７へ出力する処理を行う。また、拡張エリア６０ｂが「１」であることを検出と、画像処理部１３は、ＱＲコードの解析処理を簡便化するために、画素数および色数変換を行う。本実施形態の画像処理部１３は、２のｎ乗段階で処理されているＱＲコードの撮像画像を１ビットで白黒表現するように二値化処理を行い、二値化処理した画像をデコード部１４へ出力する。なお、画素数および色数変換に係る処理は、データ処理の簡便化のために行うものであり、簡便化が不要であれば省略も可能である。
【００５６】
デコード部１４（抽出手段に相当）は、画像処理部１３から出力される二値化処理されたＱＲコードの画像に含まれる各セルの白黒パターンを解析することにより、ＱＲコードに含まれている文字情報を抽出し、抽出した文字情報を制御部１７へ出力する。
【００５７】
一方、制御部１７は、テレビジョン装置１０の全般的な制御を行っており、内蔵する内部メモリ１７ａに制御部１７が行う制御処理内容を規定したプログラムを予め記憶すると共に、テレビジョン装置１０用の各種メニュー画面のデータ等も予め記憶している。制御部１７は、リモコン装置２０でユーザが操作を行った内容を、リモコン受光部１８を通じて受け付けると共に、装置本体に設けた操作部１９でもユーザの操作を受け付けており、受け付けた操作指示に応じた処理を行う。よって、リモコン装置２０または操作部１９でＩｒＳＳによる受信機能を作動させる設定操作の指示を受け付けている場合、制御部１７は、下記のような制御処理を行う。
【００５８】
先ず、外部の装置から送信されてきたデータが、一般的な写真の撮像画像であれば、上述した画像処理部１３の拡張エリア６０ｂに対する検出処理による判別で、撮像画像が制御部１７へ出力されてくるので、制御部１７は、出力されてきた撮像画像をテレビジョン回路部１０ａに含まれる表示インタフェース部１０ｅへ出力する。制御部１７は、それにより表示パネル１１に撮像画像の写真を表示させる。
【００５９】
また、外部の装置から送信されてきたデータが、ＱＲコードであれば、上述した画像処理部１３の拡張エリア６０ｂに対する検出処理による判別を経てデコード部１４から、ＱＲコードに含まれる文字情報が制御部１７へ出力されてくるので、制御部１７は、その文字情報の中にＵＲＬ（ネットワーク上の場所を指定する場所情報に相当）が含まれるか否かを検出する処理を場所情報検出手段として行う。具体的なＵＲＬの検出は、文字情報の中に、「http:」または「ftp:」などの文字列を含むか否かを制御部１７が検出し、「http:」または「ftp:」の文字列を検出すると、「http:」または「ftp:」の後ろに続く一連のアルファベットまたは数字を含む半角の文字列全体をＵＲＬとして抽出する処理を行う。
【００６０】
ＵＲＬを抽出すると、制御部１７はアクセス手段として、ネットワークインタフェース部１５を用いて、抽出したＵＲＬが指定するウェブサイトのサーバへアクセスを行う制御処理を行う。なお、ネットワークインタフェース部１５（ネットワーク接続手段に相当）は、制御部１７の制御指示により所定の通信プロトコルに従ってネットワークＮＷ上に構築された各種ウェブサイトのサーバ、または電子メール用のサーバ等へアクセスを行い、所定のデータ（ウェブサイトのサイトページの画面データ等）を受信する処理を行う。
【００６１】
このようなアクセス処理により、ネットワークインタフェース部１５でサイトページの画面データを受信すると、制御部１７は、内部メモリ１７ａに記憶されたプログラムに含まれるブラウザソフトを起動させて、ネットワークインタフェース部１５で取得したサイトページの画面データをブラウザ画面上に配置した画面データを生成する。それから、制御部１７は、生成した画面データの画像をテレビジョン回路部１０ａに含まれる表示インタフェース部１０ｅへ出力して、表示パネル１１にアクセスしたウェブサイトのサイトページの画面内容を表示させる。
【００６２】
また、制御部１７は、デコード部１４から出力されてきた文字情報の中にＵＲＬが含まれないことを検出した場合、文字情報を配置した画面を生成し、生成した画面データの画像をテレビジョン回路部１０ａに含まれる表示インタフェース部１０ｅへ出力する。このような処理により、制御部１７は、表示パネル１１にＱＲコードが含む文字情報を表示させる。
【００６３】
図７に示す第１フローチャートは、上述した携帯電話機４０およびテレビジョン装置１０から構成される第１実施形態の撮像画像処理システム１の一連の処理手順（撮像画像処理方法の内容）を示したものである。以下、この第１フローチャートに従って、第１実施形態の撮像画像処理方法を整理して説明する。なお、第１フローチャートの説明では既に、携帯電話機４０は図４（ａ）のモード選択画面５０で写真モードまたはＱＲモードの選択設定がユーザの操作により行われているものとする。
【００６４】
まず、携帯電話機４０は、ユーザの操作に基づいて撮像を行い（Ｓ１）、この撮像をＱＲモードとして扱うか否かを、撮像前に図４（ａ）のモード選択画面５０で行われた設定内容により判断する（Ｓ２）。設定内容に従って、ＱＲモードで撮像処理を扱う場合（Ｓ２：ＹＥＳ）、携帯電話機４０は、撮像処理により得た撮像画像（ＱＲモードの撮像画像。情報画像に相当）に識別情報として「１」を付加し（Ｓ３）、図４（ｂ）に示すようなデータ構造６０の送信データを生成して、ＱＲコードの情報画像を赤外線通信ユニット４６から送信する（Ｓ４）。また、設定内容に従って、写真モードで撮像処理を行う場合（Ｓ２：ＮＯ）、携帯電話機４０は、撮像処理により得た撮像画像を赤外線通信ユニット４６から送信する（Ｓ４）。
【００６５】
一方、テレビジョン装置１０は、携帯電話機４０から送信されてくる画像（写真または情報画像）を受信すると（Ｓ５）、受信した画像が一般的な写真の撮像画像であるか、または情報画像（ＱＲコード）であるかを、図４（ｂ）の拡張エリア６０ｂに「１」が格納されているか否かで検出する（Ｓ６）。拡張エリア６０ｂに「０」が格納されている場合、すなわち、受信した画像が一般的な写真の撮像画像である場合（Ｓ６：ＮＯ）、テレビジョン装置１０は、撮像画像を表示パネル１１に表示する（Ｓ１１）。
【００６６】
また、テレビジョン装置１０は、拡張エリア６０ｂに「１」が格納されている場合、すなわち、受信した画像がＱＲコード（情報画像）である場合（Ｓ６：ＹＥＳ）、図６の画像処理部１３およびデコード部１４による処理で、ＱＲコードに含まれる文字情報を抽出する（Ｓ７）。それから、テレビジョン装置１０は、抽出した文字情報がＵＲＬを含むか否かを検出する（Ｓ８）。
【００６７】
文字情報の中にＵＲＬが含まれることを検出した場合（Ｓ８：ＹＥＳ）、テレビジョン装置１０は、検出したＵＲＬに基づきネットワークインタフェース部１５を用いてアクセスを行い、ブラウザソフトを起動してＵＲＬに係るウェブサイトのサイトページを表示パネル１１に表示する（Ｓ９）。また、抽出した文字情報の中にＵＲＬが含まれないことを検出した場合（Ｓ８：ＮＯ）、テレビジョン装置１０は、抽出した文字情報を表示パネル１１に表示する（Ｓ１０）。
【００６８】
よって、本実施形態では、携帯電話機４０およびテレビジョン装置１０を含む撮像画像処理システム１が上述した処理を行うので、携帯電話機４０が送信する撮像画像の内容に応じた処理をテレビジョン装置１０がスムーズに行える。たとえば、撮像画像として一般的な写真の画像がテレビジョン装置１０へ送信されれば、大画面の表示パネル１１に写真が自動的に表示されるので、ユーザが簡単に撮像した写真を大画面で楽しむことができる。また、携帯電話機４０で撮像したＵＲＬを含むＱＲコードを情報画像としてテレビジョン装置１０へ送信すれば、テレビジョン装置１０でＱＲコードに含まれるＵＲＬに基づきウェブサイトへアクセスし、サイトページを大画面の表示パネル１１に表示するので、ＵＲＬを直接入力することなしに、ユーザは容易にウェブサイトを閲覧できる。そのため、撮像対象となるＱＲコードに所定のＵＲＬを含ませれば、所定のウェブサイトへスムーズにユーザを誘導することなどに利用できる。
【００６９】
さらに、携帯電話機４０でＵＲＬ以外の文字情報を含むＱＲコードを情報画像としてテレビジョン装置１０へ送信すれば、テレビジョン装置１０はＱＲコードに含まれる文字情報を大画面の表示パネル１１に表示するので、ユーザは素早くＱＲコードに含まれる文字情報を確認できる。そのため、「本日大売り出し！うなぎ一匹６８０円！」と云うような広告の文字情報をＱＲコードに含ませれば、広告手法の一つとして本発明の内容を利用できる。
【００７０】
なお、第１実施形態に係る発明は、上述した説明内容に限定されるものではなく、種々の変形例が想定できる。たとえば、撮像画像の送受信のため携帯電話機４０とテレビジョン装置１０との間に用いる通信方式は、ＩｒＳＳに限定されるものではなく、他の赤外線通信規格（たとえばＩｒＳｉｍｐｌｅ等）を用いることも可能であり、赤外線通信規格以外の無線通信でも、ブルートゥース（登録商標）、無線ＬＡＮ（Wi-Fi、WiMAX等）、ワイヤレスＵＳＢ、ＵＷＢ（Ultra Wide Band）等を用いることが可能である。また、携帯電話機４０とテレビジョン装置１０とは、無線以外に有線による接続で通信を行って、撮像画像を送受するようにしてもよい。この場合、IEEE1394、ＵＳＢ、ＬＡＮ（10BASE、100BASE等）を適用することが考えられる。
【００７１】
さらに、撮像を行う装置としては、撮像機能を有する携帯電話機４０以外に、デジタルカメラ等の撮像装置を適用することも可能である。この場合、デジタルカメラ等の撮像装置に上述した無線または有線によるテレビジョン装置１０との通信機能と、上述した内容の撮像機能（ＱＲコード等の情報画像に識別情報を付加する処理機能等）を具備させれば、上述した携帯電話機４０の替わりにデジタルカメラ等の撮像装置を本発明に用いることができる。
【００７２】
さらにまた、撮像対象となる情報画像には、ＱＲコード以外の二次元バーコードとして、ＰＤＦ（Portable Data File）４１７、マキシコード、ベリコードなどの二次元コードを撮像対象にしてもよく、上記の他にも、一次元バーコード、カラーコード、その他の図形パターン、及び文字列なども撮像対象にしてもよい。このような各種バーコード（二次元コード、一次元コード、カラーコード等）、図形パターン等は、将来的に新聞・雑誌・ウェブサイト等のテレビ番組欄に載るようになることも想定される。この場合、これらの各種バーコードまたは図形パターン等に所定のＵＲＬを含ませておけば、ＵＲＬの直接入力の操作手間を省いた上で、テレビ番組の内容等に連動したウェブサイトへスムーズにユーザを誘導でき、また、各種バーコードまたは図形パターン等にテレビ番組に関連する詳細情報（文字情報）を含ませておけば、そのテレビ番組の詳細情報をテレビ画面で容易に確認できるようにすることも実現できる。さらに、上述した説明では、情報画像として携帯電話機４０が撮像を行う場合に、撮像画像に識別情報を付加するようにしていたが、送信する際に送信対象の撮像画像がＱＲコード等の情報画像であれば、図４（ｂ）に示すように、識別情報として拡張エリア６０ｂに「１」を付加して送信するようにしてもよい。
【００７３】
また、送信される情報画像（ＱＲコード等）にＵＲＬが含まれると、テレビジョン装置１０は、図７の第１フローチャートにおけるＳ９の段階に示すように、そのＵＲＬに基づくアクセスを行ってウェブサイトのサイトページを表示するが、その替わりに、図８（ａ）に示すメニュー画面３５、または図８（ｂ）に示す情報画面３６を表示パネル１１に表示するようにしてもよい。
【００７４】
図８（ａ）に示すメニュー画面３５は、携帯電話機４０から送信されたＱＲコード（情報画像）にＵＲＬが含まれる旨を表すと共に、選択可能なＹＥＳボタン３５ａ、ＮＯボタン３５ｂを配置している。ＹＥＳボタン３５ａを選択する操作がリモコン装置２０または操作部１９で受け付けられると、ＱＲコードに含まれるＵＲＬでテレビジョン装置１０はアクセスを行い、また、ＮＯボタン３５ｂを選択する操作が受け付けられると、メニュー画面３５の表示が終了するようになっている。よって、このようなメニュー画面３５を一旦表示することで、子供等に見せたくないウェブサイトがダイレクトに表示されることを防止できるメリットがある。
【００７５】
また、図８（ｂ）に示す情報画面３６は、携帯電話機４０から送信されたＱＲコード（情報画像）に文字情報（例えば、ＵＲＬに対応するウェブサイトを説明する内容の文字情報）およびＵＲＬが含まれる場合に、テレビジョン装置１０の表示パネル１１に表示する変形例を示したものである。この場合、テレビジョン装置１０は、受信したＱＲコードにＵＲＬが含まれることを検出すると、受信したＱＲコードより抽出した文字情報と共に、検出したＵＲＬを選択可能に含むＵＲＬ選択欄３６ａを配置した情報画面３６を表示する処理を行うことになる。なお、ＵＲＬ選択欄３６ａがリモコン装置２０または操作部１９での操作により選択されると、テレビジョン装置１０は、ＵＲＬ選択欄３６ａに含まれるＵＲＬに応じたアクセスを行うことになる。このように文字情報とＵＲＬを同時に表示することで、ＵＲＬに応じたウェブサイトの内容を文字情報（図８（ｂ）では、「本日、大売り出し」）で確認できるため、ウェブサイトの概要を予めユーザが把握できるので、不要なウェブサイトへのアクセスを回避できる。
【００７６】
図９は、本発明の第２実施形態に係る撮像画像処理システムが行う一連の処理内容（撮像画像処理方法）を示す第２フローチャートである。本発明の第２実施形態は、ハード的には第１実施形態と同様であるため、第１実施形態と同様の名称および符号を用いて第２実施形態の内容を説明する。第２実施形態では、撮像機能付き携帯電話機４０は、撮像画像の内容に関係なく一律的に撮像画像を単にテレビジョン装置１０へ送信する処理を行っており（図４（ｂ）に示すような識別情報の付加なし）、テレビジョン装置１０で送信されてくる撮像画像を、一般的な写真の画像（一般画像）として受信するか、またはＱＲコード等の文字情報を含む情報画像として受信するかを設定できるようになっていることが特徴である。
【００７７】
図１０は、テレビジョン装置１０で、受信する画像の種類を設定する設定メニュー画面７０（指示受付手段に相当）を示している。この設定メニュー画面７０は、受信するモードとして写真モードを選択する第１選択欄７０ａと、ＱＲモードを選択する第２選択欄７０ｂを選択可能に配置したものであり、リモコン装置２０または操作部１９での所定のメニューを表示させる操作により、表示パネル１１に表示される。また、表示された状態で、リモコン装置２０または操作部１９での選択指示操作を受け付けることで、第１選択欄７０ａまたは第２選択欄７０ｂのいずれかが選択されると、制御部１７は、選択された選択欄に応じたモードで撮像画像の受信を行うことになる。
【００７８】
すなわち、第１選択欄７０ａの選択指示操作を受け付けると、制御部１７は、携帯電話機４０から送信されてくる撮像画像を、一般的な写真（一般画像）として受信する写真モードの設定を行う。また、第２選択欄７０ｂの選択指示操作を受け付けると、制御部１７は、携帯電話機４０から送信されてくる撮像画像を、ＱＲコード等の情報画像として受信するＱＲモードの設定を行う。なお、第２実施形態では、上述した設定メニュー画面７０での設定モードに従って受信した画像の処理を行うので、図６に示す画像処理部１３は、第１実施形態と異なり、識別情報の付加の判別を行わず、写真モードであれば、所定の画像処理を行って制御部１７に出力すると共に、ＱＲモードでは二値化処理を行うことになる。第２実施形態における上記以外の携帯電話機４０およびテレビジョン装置１０の各部の構成および各部が行う処理内容等は、第１実施形態と同様であるため説明を省略する。
【００７９】
次に、図９の第２フローチャートに従って、第２実施形態の撮像画像処理システムの全体的な処理の流れを説明する。まず、テレビジョン装置１０は、図１０に示す設定メニュー画面７０に対するユーザの指示操作を受け付けて、写真モードまたはＱＲモードのいずれかのモード設定を行う（Ｓ２０）。一方、携帯電話機４０は、ユーザの操作に基づいて撮像を行い（Ｓ２１）、それから、撮像により得た撮像画像をテレビジョン装置１０へ送信する（Ｓ２２）。
【００８０】
テレビジョン装置１０は、撮像画像を受信する際（Ｓ２３）、その撮像画像を写真モードまたはＱＲモードのいずれのモードでの受信にするかを、Ｓ２０の段階での設定内容に基づき判断する（Ｓ２４）。写真モードとして撮像画像を受信する場合（Ｓ２４：写真モード）、テレビジョン装置１０は、撮像画像を表示パネル１１に表示する（Ｓ２９）。また、ＱＲモードとして撮像画像を受信する場合（Ｓ２４：ＱＲモード）、テレビジョン装置１０は、図６の画像処理部１３およびデコード部１４による処理で、ＱＲコードに含まれる文字情報を抽出し（Ｓ２５）、抽出した文字情報がＵＲＬを含むか否かを検出する（Ｓ２６）。
【００８１】
以降の処理は、第１実施形態と同様であり、ＵＲＬが含まれることを検出した場合（Ｓ２６：ＹＥＳ）、テレビジョン装置１０は、検出したＵＲＬに基づきアクセスを行い、アクセス先のウェブサイトのサイトページを表示パネル１１に表示する（Ｓ２７）。また、ＵＲＬが含まれないことを検出した場合（Ｓ２６：ＮＯ）、テレビジョン装置１０は、抽出した文字情報を表示パネル１１に表示する（Ｓ２８）。
【００８２】
このように、第２実施形態では、テレビジョン装置１０での図１０に示す設定メニュー画面７０での設定内容に従って、受信した画像の処理内容を確実に分けることができ、また、画像の送信側となる携帯電話機４０での処理内容を第１実施形態に比べて簡易化できる。なお、第２実施形態においても、第１実施形態で述べた各種変形例を適用することが可能である。
【００８３】
図１１は、本発明の第３実施形態に係る撮像画像処理システムが行う一連の処理内容（撮像画像処理方法）を示す第３フローチャートである。本発明の第３実施形態は、ハード的には第１実施形態と同様であるため、第１実施形態と同様の名称および符号を用いて第３実施形態の内容を説明する。第３実施形態では、撮像機能付き携帯電話機４０は第２実施形態と同様に、撮像画像の内容に関係なく一律的に撮像画像を単にテレビジョン装置１０へ送信する処理を行う一方、テレビジョン装置１０は受信する撮像画像の全てを、画像処理部１３で二値化処理を行って、デコード部１４で、デコード処理としてＱＲコードに従った白黒パターンの解析処理を試み、ＱＲコード（文字情報を含む情報画像）として解析処理を行えたか否かにより、受信した撮像画像はＱＲコードであるか否かを制御部１７は検出手段として検出する。
【００８４】
制御部１７は、解析処理を行えたと検出すれば、撮像画像をＱＲコードとして処理することを決定する。また、制御部１７は、解析処理を行えなかった、すなわち、撮像画像はＱＲコードでないと検出すれば、撮像画像を一般的な写真の画像（一般画像）として扱うことを決定する。
【００８５】
また、テレビジョン装置１０は、解析を行えなかった場合、受信した画像を自動的に表示するために、受信した画像（画像データ）をコピーして内部メモリ１７ａに一時的に保存しておき、コピー元の画像に対して上述した解析処理を行う。第３実施形態における上記以外の携帯電話機４０およびテレビジョン装置１０の各部の構成および各部が行う処理内容等は、第１実施形態と同様であるため説明を省略する。
【００８６】
以下、図１１の第３フローチャートに従って、第３実施形態の撮像画像処理システムの全体的な処理の流れを説明する。まず、携帯電話機４０は、ユーザの操作に基づいて撮像を行い（Ｓ３０）、それから、撮像により得た撮像画像をテレビジョン装置１０へ送信する（Ｓ３１）。
【００８７】
テレビジョン装置１０は、撮像画像を受信すると（Ｓ３２）、その撮像画像をコピーして内部メモリ１７ａに保存すると共に、コピー元の撮像画像に対して画像処理部１３で上述した処理を行って、デコード部１４で解析処理を試みる（Ｓ３３）。そして、テレビジョン装置１０は、撮像画像が文字情報を含むＱＲコードとして解析できたか否か（撮像画像がＱＲコードであるか否か）を検出し（Ｓ３４）、ＱＲコードとして解析できなかった場合（Ｓ３４：ＮＯ）、テレビジョン装置１０は、内部メモリ１７ａに保存していた撮像画像を表示パネル１１に表示する（Ｓ３８）。
【００８８】
また、ＱＲモードとして解析できた場合（Ｓ３４：ＹＥＳ）、テレビジョン装置１０は、デコード部１４の解析により得た文字情報を抽出して、その抽出した文字情報の中にＵＲＬが含まれるか否かを検出する（Ｓ３５）。以降の処理は、第１実施形態と同様であり、ＵＲＬが含まれることを検出した場合（Ｓ３５：ＹＥＳ）、テレビジョン装置１０は、検出したＵＲＬに基づきアクセスを行い、サイトページを表示パネル１１に表示し（Ｓ３６）、ＵＲＬが含まれないことを検出した場合（Ｓ３５：ＮＯ）、抽出した文字情報を表示パネル１１に表示する（Ｓ３７）。
【００８９】
このように、第３実施形態では、テレビジョン装置１０が受信する撮像画像に対して、一般的な写真またはＱＲコードとして扱うかの設定操作が不要なため、ユーザの操作負担を一層低減して、受信した画像の内容に応じた処理をテレビジョン装置１０で行うことができる。なお、第３実施形態においても第１実施形態で述べた各種変形例を適用できる。
【図面の簡単な説明】
【００９０】
【図１】本発明の第１実施形態に係る撮像画像処理システムの全体的な構成を示す概略図である。
【図２】（ａ）は携帯電話機の表面側からの斜視図、（ｂ）は裏面側からの斜視図である。
【図３】携帯電話機の主要な内部構成を示すブロック図である。
【図４】（ａ）はモード選択画面を示す概略図、（ｂ）はＱＲコードの送信に応じた送信フォーマットのデータ構造を示す概略図である。
【図５】ＱＲコードの一例を示す概略図である。
【図６】テレビジョン装置の主要な内部構成を示すブロック図である。
【図７】第１実施形態の撮像画像処理方法の内容を示す第１フローチャートである。
【図８】（ａ）は変形例で用いるメニュー画面を示す概略図、（ｂ）は別の変形例で用いる情報画面の概略図である。
【図９】本発明の第２実施形態に係る撮像画像処理方法の内容を示す第２フローチャートである。
【図１０】設定メニュー画面の概略図である。
【図１１】本発明の第３実施形態に係る撮像画像処理方法の内容を示す第３フローチャートである。
【符号の説明】
【００９１】
１  撮像画像処理システム
１０  テレビジョン装置
１１  表示パネル
１２  赤外線通信部
１３  画像処理部
１４  デコード部
１５  ネットワークインタフェース部
１７  制御部
４０  携帯電話機
４０ａ  ＣＰＵ
４０ｈ  記憶部
４５  撮像素子ユニット
４６  赤外線通信ユニット
ＮＷ  ネットワーク
【図１】
2009111869.tif 000003
【図２】
2009111869.tif 000004
【図３】
2009111869.tif 000005
【図４】
2009111869.tif 000006
【図５】
2009111869.tif 000007
【図６】
2009111869.tif 000008
【図７】
2009111869.tif 000009
【図８】
2009111869.tif 000010
【図９】
2009111869.tif 000011
【図１０】
2009111869.tif 000012
【図１１】
2009111869.tif 000013